【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
フローサイトメーターにおいてレーザービームを合波する方法であって、
第１のレーザービームを準備するステップと、
第１の楕円形の焦点を形成するために、第１の方向に向けられた第１の円柱レンズと、該第１の方向と実質的に直交する第２の方向に向けられた第２の円柱レンズとを有する合焦可能ビーム整形光学素子を用いて前記第１のレーザービームを合焦させることであって、該焦点は前記フローサイトメーターの流体ストリーム上の実質的に中心に位置する所定の場所において合焦する、合焦させるステップと、
第２のレーザービームを準備するステップと、
実質的に視準された第２のレーザービームを形成するために、前記第２のレーザービームのビームサイズ及び発散を、負の焦点距離レンズ及び正の焦点距離レンズを具備するビームサイズ調整器を用いて調整するステップであって、該実質的に視準された第２のレーザービームは実質的に前記所定の場所において第２の楕円形の焦点を形成し、該第２の楕円形の焦点は前記第１の楕円形の焦点と実質的に同じサイズ及び形状を有する、調整するステップと、
前記第１のレーザービーム及び前記実質的に視準された第２のレーザービームが実質的に同心の視準されたビームとして前記合焦可能ビーム整形光学素子に加えられるように、ビームコンバイナを用いて、前記第１のレーザービーム及び該実質的に視準された第２のレーザービームを実質的に同心に合波するステップと、を含む、
フローサイトメーターにおいてレーザービームを合波する方法。
【請求項２】
前記第１のレーザービーム及び前記実質的に視準された第２のレーザービームを合波する前記ステップは、ダイクロイックビーム合波ミラーを用いて実行される、
請求項１に記載の方法。
【請求項３】
前記第１のレーザービーム及び前記実質的に視準された第２のレーザービームの水平焦点を調整するために、前記第１の円柱レンズを前記流体ストリームに対して動かすことによって、前記合焦可能ビーム整形光学素子を調整するステップを更に含む、
請求項２に記載の方法。
【請求項４】
前記第２のレーザービームのビームサイズ及び発散を調整する前記ステップは、
前記実質的に視準された第２のレーザービームが垂直方向において前記第２の円柱レンズによって実質的に前記所定の場所において合焦するように、前記ビーム調整器を用いて前記第２のレーザービームのビームサイズ及び発散を調整するステップを更に含む、
請求項３に記載の方法。
【請求項５】
前記第２のレーザービームのビームサイズ及び発散を調整する前記ステップは、
前記ビーム調整器内の第１のレンズと第２のレンズとの間の距離を調整するステップを含む、
請求項４に記載の方法。
【請求項６】
ビームサイズ及び発散を調整する前記ステップは、
前記第２のレーザービームと実質的に直交する第１の方向において前記ビーム調整器内の前記負の焦点距離レンズを調整するステップと、
前記第２のレーザービームと実質的に直交する第２の方向において前記ビーム調整器内の前記正の焦点距離レンズを調整するステップと、を更に含む、
請求項４に記載の方法。
【請求項７】
流体ストリーム内の粒子を照明するフローサイトメーターにおいてレーザービームを合波するための光学コンバイナであって、
第１の周波数、第１のビームサイズ、及び第１の発散を有する、第１のレーザービームと、
前記第１の周波数とは異なる第２の周波数、前記第１のビームサイズとは異なる第２のビームサイズ、及び第２の発散を有する、第２のレーザービームと、
実質的に視準された第２のレーザービームを形成するために、前記第２のレーザービームの前記第２のビームサイズ及び前記第２の発散を調整する、負の焦点距離レンズ及び正の焦点距離レンズを具備するビーム調整器と、
実質的に同心の視準されたビームを形成するために、前記第１のレーザービーム及び前記第２のレーザービームを実質的に同心に合波する、光学ビームコンバイナと、
実質的に垂直なレンズ軸方向に向けられた第１の円柱レンズと、実質的に水平なレンズ軸方向に向けられた第２の円柱レンズとを有する、前記実質的に同心の視準されたビームと位置合わせされている合焦可能ビーム整形光学素子であって、該第２の円柱レンズは、前記第１のレーザービーム及び前記実質的に視準された第２のレーザービームを垂直方向において前記フローサイトメーターのフローストリーム上に合焦させるように配置され、該第１の円柱レンズは、該実質的に視準された第２のレーザービームが前記流体ストリーム上に第２の楕円形の焦点を形成するように、該第１のレーザービーム及び該実質的に視準された第２のレーザービームを水平方向において合焦させるように調整可能に配置され、該第２の楕円形の焦点は前記流体ストリーム上に該第１のレーザービームによって形成される第１の楕円形の焦点と実質的に位置合わせされている、合焦可能ビーム整形光学素子と、を備える、
流体ストリーム内の粒子を照明するフローサイトメーターにおいてレーザービームを合波するための光学コンバイナ。
【請求項８】
前記光学ビームコンバイナはダイクロイックビーム合波ミラーである、
請求項７に記載の光学コンバイナ。
【請求項９】
前記第１の円柱レンズに結合される調整デバイスであって、前記第１の円柱レンズが前記流体ストリームに対して移動して、前記第１のレーザービーム及び前記実質的に視準された第２のレーザービームを水平方向において合焦させることを可能にする、調整デバイスを更に備える、
請求項７に記載の光学コンバイナ。
【請求項１０】
前記ビーム調整器は、
前記実質的に視準された第２のレーザービームと実質的に直交する第１の方向において前記ビーム調整器内の前記負の焦点距離レンズを調整する、第１の調整器と、
前記第２のレーザービームと実質的に直交する第２の方向において前記ビーム調整器内の前記正の焦点距離レンズを調整する、第２の調整器と、を更に備える、
請求項７に記載の光学コンバイナ。
【請求項１１】
流体ストリーム内の粒子を照明するフローサイトメーターにおいてレーザービームを合波するための光学コンバイナであって、
第１の周波数、第１のビームサイズ、及び第１の発散を有する、第１のレーザービームと、
前記第１の周波数とは異なる第２の周波数、前記第１のビームサイズとは異なる第２のビームサイズ、及び第２の発散を有する、第２のレーザービームと、
実質的に同心の視準されたビームを形成するために、前記第１のレーザービーム及び前記第２のレーザービームを実質的に同心に合波する、光学ビームコンバイナと、
実質的に垂直なレンズ軸方向に向けられた第１の円柱レンズと、実質的に水平なレンズ軸方向に向けられた第２の円柱レンズとを有する、前記実質的に同心の視準されたビームと位置合わせされている合焦可能ビーム整形光学素子であって、該第２の円柱レンズは前記第１のレーザービーム及び前記第２のレーザービームを実質的に垂直な方向において合焦させ、該第１の円柱レンズは該第１のレーザービーム及び該第２のレーザービームを実質的に水平な方向において合焦させる、合焦可能ビーム整形光学素子と、
前記合焦可能ビーム整形光学素子からの上流において前記第２のレーザービームと位置合わせされているビーム調整器であって、該ビーム調整器は、前記合焦可能ビーム整形光学素子が前記第１のレーザービーム及び該第２のレーザービームの両方を前記流体ストリーム上の楕円形の焦点に合焦させるように、該第２のレーザービームの前記第２のビームサイズ及び前記第２の発散を、正の焦点距離レンズと組み合わせた負の焦点距離レンズを用いて調整する、ビーム調整器と、を備える、
流体ストリーム内の粒子を照明するフローサイトメーターにおいてレーザービームを合波するための光学コンバイナ。
【請求項１２】
前記光学ビームコンバイナはダイクロイックビーム合波ミラーである、
請求項１１に記載の光学コンバイナ。
【請求項１３】
前記第２のレーザービームと実質的に直交する第１の方向において前記ビーム調整器内の前記負の焦点距離レンズを調整する、第１の調整器と、
前記第２のレーザービームと実質的に直交する第２の方向において前記ビーム調整器内の前記正の焦点距離レンズを調整する、第２の調整器と、を更に備える、
請求項１１に記載の光学コンバイナ。